(57)【特許請求の範囲】
【請求項１】
エンドレスに配置された多数枚のスクリーンプレートで水路の流水中の塵埃を捕捉しながら、スクリーンプレートの回転駆動で塵埃を流水中から引き上げる除塵装置において、
前記水路に、駆動手段で回転駆動される正多角形板が設けられ、
前記各スクリーンプレートの幅方向の両端部には、前記スクリーンプレートの厚みよりも厚い厚みの連結辺部が形成され、この連結辺部は、回転方向に突出されて、その一端側には外側を段落ちさせた一片部が形成されるとともに、他端側には内側を段落ちさせた他片部が形成され、前記一片部と他片部には連結孔がそれぞれ形成されていて、
回転方向に隣り合う前記スクリーンプレートの一片部の段落ち部分に、他片部を嵌め合わせて、両側面を面一とした状態で、一側の連結孔から他側の連結孔に連結軸が差し込まれ、前記連結軸の両外端にガイドローラが嵌め込まれ、抜け止め部材で抜け止めすることで、前記各スクリーンプレートがキャタピラ状にエンドレスで連結され、
連結軸の軸間距離が正多角形板の一辺に略等しい長さに設定されて、回転駆動される正多角形板でスクリーンプレートが回転駆動されるようにしたことを特徴とする除塵装置。
【請求項２】
エンドレスに配置された多数枚のスクリーンプレートで水路の流水中の塵埃を捕捉しながら、スクリーンプレートの回転駆動で塵埃を流水中から引き上げる除塵装置において、
前記水路の上部に、駆動手段で回転駆動される正多角形板を備え、
前記各スクリーンプレートの幅方向の両端部には、前記スクリーンプレートの厚みよりも厚い厚みの連結辺部が形成され、この連結辺部は、回転方向に突出されて、その一端側には外側を段落ちさせた一片部が形成されるとともに、他端側には内側を段落ちさせた他片部が形成され、前記一片部と他片部には連結孔がそれぞれ形成されていて、
回転方向に隣り合う前記スクリーンプレートの一片部の段落ち部分に、他片部を嵌め合わせて、両側面を面一とした状態で、一側の連結孔から他側の連結孔に連結軸が差し込まれ、前記連結軸の両外端にガイドローラが嵌め込まれ、抜け止め部材で抜け止めすることで、前記各スクリーンプレートがキャタピラ状にエンドレスで連結され、
連結軸の軸間距離が正多角形板の一辺に略等しい長さに設定されて、回転駆動される正多角形板のいずれかの辺にいずれかのスクリーンプレートの内面が接することで、正多角形板でスクリーンプレートが長円状に直接回転駆動されるようにしたことを特徴とする請求項１に記載の除塵装置。
【請求項３】
前記水路には、長円状の各スクリーンプレートの下部分の前記ガイドローラをガイドするローラガイドが設けられていることを特徴とする請求項２に記載の除塵装置。
【請求項４】
前記正多角形板は、一定の間隔を隔てて２枚が設けられ、前記スクリーンプレートは、幅方向の両端部の内面が各正多角形板の各辺に接することを特徴とする請求項２または３に記載の除塵装置。
【請求項５】
エンドレスに配置された多数枚のスクリーンプレートで水路の流水中の塵埃を捕捉しながら、スクリーンプレートの回転駆動で塵埃を流水中から引き上げる除塵装置において、
前記水路の内部に、駆動手段で回転駆動される正多角形板を備え、
前記各スクリーンプレートの幅方向の両端部には、前記スクリーンプレートの厚みよりも厚い厚みの連結辺部が形成され、この連結辺部は、回転方向に突出されて、その一端側には外側を段落ちさせた一片部が形成されるとともに、他端側には内側を段落ちさせた他片部が形成され、前記一片部と他片部には連結孔がそれぞれ形成されていて、
回転方向に隣り合う前記スクリーンプレートの一片部の段落ち部分に、他片部を嵌め合わせて、両側面を面一とした状態で、一側の連結孔から他側の連結孔に連結軸が差し込まれ、前記連結軸の両外端にガイドローラが嵌め込まれ、抜け止め部材で抜け止めすることで、前記各スクリーンプレートがキャタピラ状にエンドレスで連結され、
連結軸の軸間距離が正多角形板の一辺に略等しい長さに設定されて、回転駆動される正多角形板の各辺に各スクリーンプレートの内面がそれぞれ接することで、正多角形板でスクリーンプレートが円状に直接回転駆動されるようにしたことを特徴とする請求項１に記載の除塵装置。
【請求項６】
前記水路には、円状の各スクリーンプレートの下部分の前記ガイドローラをガイドするローラガイドが設けられていることを特徴とする請求項５に記載の除塵装置。
【請求項７】
前記各スクリーンプレートに、正多角形板に対して各スクリーンプレートの幅方向の移動を規制する幅移動規制部が形成されていることを特徴とする請求項１〜６のいずれか一項に記載の除塵装置。
【請求項８】
前記正多角形板は、正六角形板であることを特徴とする請求項１〜７のいずれか一項に記載の除塵装置。
【請求項９】
前記スクリーンプレートの回転駆動で流水中から引き上げられた塵埃を捕集して外部に搬出するスクリューコンベヤが設けられ、このスクリューコンベヤに脱水・圧縮機構が内蔵されていることを特徴とする請求項１〜８のいずれか一項に記載の除塵装置。
【請求項１０】
前記水路に相当する水槽が床面に設置され、この水槽の内部に前記正多角形板とスクリーンプレートとの組み立て体が組み込まれ、前記水槽の壁面に、水流の入口管と出口管と、塵埃をスクリーンプレートから下方に脱落させるスプレー管と、この脱落する塵埃を捕集して外部に案内する塵埃案内手段とが取付けられ、前記水槽の上壁面には、開閉可能な蓋が取付けられてユニット化されていることを特徴とする請求項１〜９のいずれか一項に記載の除塵装置。
【発明の詳細な説明】
【技術分野】
【０００１】
本発明は、除塵装置に関する。
【背景技術】
【０００２】
従来、図２０に示すように、水路２に、エンドレスに配置された多数枚のスクリーンプレート（例えば合成樹脂製の矩形状多孔質パネル）１を配置して、各スクリーンプレート１を長円状に回転駆動するようにした長円タイプの除塵装置がある（特許文献１を参照）。
【０００３】
そして、水路２の流水は、図２０（ｂ）に白抜き矢印で示すように、水路２の隔壁の開口部２ａを介してスクリーンプレート１の内側に案内され、スクリーンプレート１の通水孔から外側に抜けて下流側に流下する。その際に、水路２の流水中の塵埃を捕捉しながら、スクリーンプレート１の回転駆動で塵埃を流水中から引き上げるようになる。
【０００４】
ここで、水路２とは、農業用・発電用水路の取水口、揚水機場、上下水道のポンプ場等である。
【０００５】
この除塵装置では、スクリーンプレート１を一対のエンドレスのローラチェーン（キャリングチェーン）３の間に一列に並べた状態で、各スクリーンプレート１の両端部をそれぞれ各ローラチェーン３に梯子状にボルト等３ａで固定することにより、エンドレスに配置されている。そして、各ローラチェーン３をモータ９で駆動される一対のスプロケット４に噛み合わせることで、各スプロケット４の回転駆動で各スクリーン１を長円状に回動駆動するように構成されている。
【０００６】
また、各スクリーンプレートを格納した各フレームの両端部をそれぞれ各ローラチェーンに梯子状に固定することにより、エンドレスに配置するものもある（特許文献２を参照）。
【０００７】
一方、図２１に示すように、水路２に、スクリーンネット５ａを張設した円筒状のスクリーン本体５を配置して、ガイドローラ６を環状のガイドレール７で支承する。そして、無端状チェーン８をモータ９のスプロケット９ａで駆動することで、スクリーン本体５を円状に回転駆動するようにした円形カップタイプの除塵装置がある（特許文献３を参照）。
【０００８】
特許文献１，２の長円タイプの除塵装置は、水深が深くて流量の多い水路に適し、特許文献３の円形カップタイプの除塵装置は、水深が浅くて流量の少ない水路に適している。
【先行技術文献】
【特許文献】
【０００９】
【特許文献１】実用新案登録第３０９８５１９号公報
【特許文献２】特開２００４−８４３４６号公報
【特許文献３】特開平１１−１８１７４５号公報
【発明の概要】
【発明が解決しようとする課題】
【００１０】
しかしながら、各特許文献では、高価なチェーンやスプロケット等が必要であるから、装置コストが高くなるという問題がある。
【００１１】
また、特許文献１では、一対のエンドレスのローラチェーンの間に、各スクリーンプレートを梯子状にボルト等で固定する作業に時間がかかる。さらに、引用文献２では、各スクリーンプレートを各フレームにボルト等で固定する作業と、一対のエンドレスのローラチェーンの間に、各フレームを梯子状にボルト等で固定する作業に時間がかかる。さらにまた、特許文献３では、円筒状のスクリーン本体にスクリーンネットを張設する作業と、ガイドローラを環状のガイドレールで支承する作業に時間がかかる。
【００１２】
すなわち、各特許文献では、設備コストが高くなるとともに、設置作業に時間がかかるので、設置作業コストも高くなるという問題がある。
【００１３】
本発明は、前記問題を解消するためになされたもので、装置コストと設置作業コストが安くなる除塵装置を提供することを目的とするものである。
【課題を解決するための手段】
【００１４】
前記課題を解決するために、本発明は、エンドレスに配置された多数枚のスクリーンプレートで水路の流水中の塵埃を捕捉しながら、スクリーンプレートの回転駆動で塵埃を流水中から引き上げる除塵装置において、前記水路に、駆動手段で回転駆動される正多角形板が設けられ、前記各スクリーンプレートの幅方向の両端部には、前記スクリーンプレートの厚みよりも厚い厚みの連結辺部が形成され、この連結辺部は、回転方向に突出されて、その一端側には外側を段落ちさせた一片部が形成されるとともに、他端側には内側を段落ちさせた他片部が形成され、前記一片部と他片部には連結孔がそれぞれ形成されていて、回転方向に隣り合う前記スクリーンプレートの一片部の段落ち部分に、他片部を嵌め合わせて、両側面を面一とした状態で、一側の連結孔から他側の連結孔に連結軸が差し込まれ、前記連結軸の両外端にガイドローラが嵌め込まれ、抜け止め部材で抜け止めすることで、前記各スクリーンプレートがキャタピラ状にエンドレスで連結され、連結軸の軸間距離が正多角形板の一辺に略等しい長さに設定されて、回転駆動される正多角形板でスクリーンプレートが回転駆動されるようにしたことを特徴とする除塵装置を提供するものである。
【００１５】
請求項２のように、請求項１において、エンドレスに配置された多数枚のスクリーンプレートで水路の流水中の塵埃を捕捉しながら、スクリーンプレートの回転駆動で塵埃を流水中から引き上げる除塵装置において、前記水路の上部に、駆動手段で回転駆動される正多角形板を備え、前記各スクリーンプレートの幅方向の両端部には、前記スクリーンプレートの厚みよりも厚い厚みの連結辺部が形成され、この連結辺部は、回転方向に突出されて、その一端側には外側を段落ちさせた一片部が形成されるとともに、他端側には内側を段落ちさせた他片部が形成され、前記一片部と他片部には連結孔がそれぞれ形成されていて、回転方向に隣り合う前記スクリーンプレートの一片部の段落ち部分に、他片部を嵌め合わせて、両側面を面一とした状態で、一側の連結孔から他側の連結孔に連結軸が差し込まれ、前記連結軸の両外端にガイドローラが嵌め込まれ、抜け止め部材で抜け止めすることで、前記各スクリーンプレートがキャタピラ状にエンドレスで連結され、連結軸の軸間距離が正多角形板の一辺に略等しい長さに設定されて、回転駆動される正多角形板のいずれかの辺にいずれかのスクリーンプレートの内面が接することで、正多角形板でスクリーンプレートが長円状に直接回転駆動されるようにした構成とすることができる。
【００１６】
請求項３のように、請求項２において、前記水路には、長円状の各スクリーンプレートの下部分の前記ガイドローラをガイドするローラガイドが設けられている構成とすることができる。
【００１７】
請求項４のように、請求項２または３において、前記正多角形板は、一定の間隔を隔てて２枚が設けられ、前記スクリーンプレートは、幅方向の両端部の内面が各正多角形板の各辺に接する構成とすることができる。
【００１８】
請求項５のように、請求項１において、エンドレスに配置された多数枚のスクリーンプレートで水路の流水中の塵埃を捕捉しながら、スクリーンプレートの回転駆動で塵埃を流水中から引き上げる除塵装置において、前記水路の内部に、駆動手段で回転駆動される正多角形板を備え、前記各スクリーンプレートの幅方向の両端部には、前記スクリーンプレートの厚みよりも厚い厚みの連結辺部が形成され、この連結辺部は、回転方向に突出されて、その一端側には外側を段落ちさせた一片部が形成されるとともに、他端側には内側を段落ちさせた他片部が形成され、前記一片部と他片部には連結孔がそれぞれ形成されていて、回転方向に隣り合う前記スクリーンプレートの一片部の段落ち部分に、他片部を嵌め合わせて、両側面を面一とした状態で、一側の連結孔から他側の連結孔に連結軸が差し込まれ、前記連結軸の両外端にガイドローラが嵌め込まれ、抜け止め部材で抜け止めすることで、前記各スクリーンプレートがキャタピラ状にエンドレスで連結され、連結軸の軸間距離が正多角形板の一辺に略等しい長さに設定されて、回転駆動される正多角形板の各辺に各スクリーンプレートの内面がそれぞれ接することで、正多角形板でスクリーンプレートが円状に直接回転駆動されるようにした構成とすることができる。
【００１９】
請求項６のように、請求項５において、前記水路には、円状の各スクリーンプレートの下部分の前記ガイドローラをガイドするローラガイドが設けられている構成とすることができる。
【００２０】
請求項７のように、請求項１〜６のいずれか一項において、前記各スクリーンプレートに、正多角形板に対して各スクリーンプレートの幅方向の移動を規制する幅移動規制部が形成されている構成とすることができる。
【００２１】
請求項８のように、請求項１〜７のいずれか一項において、前記正多角形板は、正六角形板である構成とすることができる。
【００２２】
請求項９のように、請求項１〜８のいずれか一項において、前記スクリーンプレートの回転駆動で流水中から引き上げられた塵埃を捕集して外部に搬出するスクリューコンベヤが設けられ、このスクリューコンベヤに脱水・圧縮機構が内蔵されている構成とすることができる。
【００２３】
請求項１０のように、請求項１〜９のいずれか一項において、前記水路に相当する水槽が床面に設置され、この水槽の内部に前記正多角形板とスクリーンプレートとの組み立て体が組み込まれ、前記水槽の壁面に、水流の入口管と出口管と、塵埃をスクリーンプレートから下方に脱落させるスプレー管と、この脱落する塵埃を捕集して外部に案内する塵埃案内手段とが取付けられ、前記水槽の上壁面には、開閉可能な蓋が取付けられてユニット化されている構成とすることができる。
【発明の効果】
【００２４】
本発明によれば、キャタピラ状にエンドレスで連結したスクリーンプレートを、駆動手段で回転駆動される正多角形板で、直接回転駆動させるようにしたものである。したがって、特許文献１，２，３のような高価なチェーンとスプロケットとが不要になって、装置コストが安くなる。
【００２５】
また、水深が深くて流量の多い水路に適した長円タイプの構成（請求項２を参照）と水深が浅くて流量の少ない水路に適した六角カップタイプの構成（請求項５を参照）のいずれのタイプであっても、正多角形板と、枚数を変えるだけのキャタピラ状のスクリーンプレートとは共通で利用できるから、この点でも装置コストが安くなる。
【００２６】
さらに、スクリーンプレートは、連結軸でキャタピラ状にエンドレスで連結するだけである。したがって、特許文献１，２のように、各スクリーンプレートを一対のエンドレスのローラチェーンの間に梯子状にボルト等で固定する作業、一対のエンドレスのローラチェーンの間に各フレームを梯子状にボルト等で固定する作業、特許文献３のように、円筒状のスクリーン本体にスクリーンネットを張設する作業と、ガイドローラを環状のガイドレールで支承する作業が不要になるから、設置作業コストが安くなる。
【００２７】
請求項２によれば、キャタピラ状にエンドレスで連結したスクリーンプレートを、駆動手段で回転駆動される正多角形板で、長円状に直接回転駆動させるようにしたものである。したがって、請求項１の効果に加えて、水深が深くて流量の多い水路に適した長円タイプの構成となる。
【００２８】
請求項３によれば、ローラガイドにより、正多角形板から離れたスクリーンプレートの下部分をスムーズにガイドできる。
【００２９】
請求項４によれば、２枚の正多角形板により、スクリーンプレートが片送りされないので、スクリーンプレートの直接回転駆動がスムーズになる。
【００３０】
請求項５によれば、キャタピラ状にエンドレスで連結したスクリーンプレートを、駆動手段で回転駆動される正多角形板で、円状に直接回転駆動させるようにしたものである。したがって、請求項１の効果に加えて、水深が浅くて流量の少ない水路に適した六角カップタイプの構成となる。
【００３１】
請求項６によれば、ローラガイドにより、正多角形板で片持ち支持されたスクリーンプレートの下部分をスムーズにガイドできる。
【００３２】
請求項７によれば、スクリーンプレートが幅方向に移動して正多角形板から外れるのを未然に防止できる。
【００３３】
請求項８によれば、六個の辺でスクリーンプレートを直接回転駆動させることができるから、スクリーンプレートの回転がスムーズになる。
【００３４】
請求項９によれば、塵埃を捕集して単に外部に搬出するトラフに代えて、脱水・圧縮機構付きスクリューコンベヤを設けたものである。したがって、塵埃を捕集し、脱水しつつ圧縮できることで、トラフと脱水装置と圧縮装置を別々に設置する場合と比べて、各装置の設置スペースが不要になるとともに、設備コストも安くなる。
【００３５】
請求項１０によれば、製造工場で水槽内に組み立て体を組み込み、壁面に入口管等を取付けたてユニット化したものを、トラック等で水処理工場に搬送して、この水処理工場の床面に設置する。そして、入口管等を水処理工場内の各メイン配管に接続する。これにより、水処理工場内の床面に除塵装置を設置することができる。したがって、土木工事で地面に水路を掘って除塵装置を設置する場合と比べて、除塵装置の設置工事を簡単かつ迅速に行うことができる。また、除塵装置が小流量タイプである場合には、複数台のユニットを並べて設置し、各ユニットの入口管等を水処理工場内の各メイン配管にそれぞれ接続すれば、簡単に大流量タイプとすることもできる。さらに、水槽の蓋を取り外せば、スクリーンプレートの交換作業等のメンテナンスも簡単かつ迅速に行える。
【図面の簡単な説明】
【００３６】
【図１】本発明に係る第１実施形態の長円タイプの除塵装置の正面図である。
【図２】図１の側面図である。
【図３】図２の平面図である。
【図４】図２のＡ−Ａ線断面図である。
【図５】スクリーンプレートの正面図である。
【図６】（ａ）は正六角形板の斜視図、（ｂ）は正六角形板とスクリーンプレートの斜視図である。
【図７】モータ直結式駆動手段であり、（ａ）は平面図、（ｂ）は側面図である。
【図８】本発明に係る第２実施形態の六角カップタイプの除塵装置の正面図である。
【図９】図８の側面図である。
【図１０】図９の平面図である。
【図１１】図９のＢ−Ｂ線断面図である。
【図１２】（ａ）は正六角形板の斜視図、（ｂ）は正六角形板と展開したスクリーンプレートの斜視図である。
【図１３】ラック式駆動手段の側面図である。
【図１４】（ａ）は図１３のＣ−Ｃ断面図、（ｂ）は図１３のＤ−Ｄ断面図である。
【図１５】ピンホイル式駆動手段であり、（ａ）は側面図、（ｂ）は正面図である。
【図１６】ケーシング部分を断面にしたスクリューコンベヤの斜視図である。
【図１７】図１６のケーシングの湾曲筒部とフード部の断面図である。
【図１８】水槽の要部破断斜視図である。
【図１９】複数台の水槽を設置したときの平面図である。
【図２０】特許文献１の除塵装置であり、（ａ）は斜視図、（ｂ）は平面断面図、（ｃ）はスクリーンプレートの正面図である。
【図２１】特許文献３の除塵装置であり、（ａ）は側面断面図、（ｂ）は正面断面図である。
【発明を実施するための形態】
【００３７】
以下、本発明を実施するための形態について、図面を参照しながら詳細に説明する。
【００３８】
（第１実施形態）
図１〜図７は、本発明に係る第１実施形態の長円タイプの除塵装置であり、図１は正面図、図２は図１の側面図、図３は図２の平面図、図４は図２のＡ−Ａ線断面図である。図５はスクリーンプレート１１の正面図、図６（ａ）は正六角形板１５の斜視図、同（ｂ）は正六角形板１５とスクリーンプレート１１の斜視図である。図７はモータ直結式駆動手段であり、（ａ）は平面図、（ｂ）は側面図である。
【００３９】
図１の正面視で略Ｕ字形状の水路１０内には、図４のように、両側から突設される隔壁１０ａと、この隔壁１０ａの下流側において水路１０の中央に立設される中間支柱壁１０ｂとが形成されている。
【００４０】
この隔壁１０ａと中間支柱壁１０ｂの間には、図１、図２のように、エンドレスに連結された多数枚（本例では１８枚）のスクリーンプレート１１が水流方向に開口するように配置され、このスクリーンプレート１１の下部は水路１０の底部付近に位置するとともに、上部は水路１０の水面の上方に位置している。
【００４１】
スクリーンプレート１１は、図５のように、４箇所の区画に、それぞれ多数の通水孔１１ａを縦横に形成した合成樹脂製の矩形状多孔質パネルである。なお、通水孔１１ａは、４箇所の区画に分ける必要はない。また、スクリーンプレート１１は、矩形状の枠状パネルに金網を取付けたものであってもよい。
【００４２】
このスクリーンプレート１１の幅方向の両端部には、図１のように、スクリーンプレート１１の厚みｔ１よりも厚い厚みｔ２の連結辺部１１ｂが一体的に形成されている。この連結辺部１１ｂは、図５のように、前後方向（回転方向）に突出されて、その前端側には外側を段落ちさせた前片部（一片部）１１ｃが形成されるとともに、後端側には内側を段落ちさせた後片部（他片部）１１ｄが形成され、各片部１１ｃ，１１ｄには連結孔１１ｅがそれぞれ形成されている。
【００４３】
そして、回転方向に隣り合うスクリーンプレート１１の前片部１１ｃの段落ち部分に、後片部１１ｄを嵌め合わせて、両側面を面一とした状態で、一側の連結孔１１ｅから他側の連結孔１１ｅに連結軸１２を差し込む。その後、連結軸１２の両外端にガイドローラ１３を嵌め込み、抜け止めねじ（抜け止め部材）１４で抜け止めすることで、各スクリーンプレート１１がキャタピラ状にエンドレスで連結されるようになる。
【００４４】
隣り合うスクリーンプレート１１の前後端部と連結軸１２との間には、連結軸１２が接触しない程度の僅かな隙間が形成されているだけであり、この隙間から塵埃が流出するおそれはない。
【００４５】
図１、図２、図３、図６（ａ）のように、水路１０の水面の上方に位置するスクリーンプレート１１の上部に対応して、２枚の正六角形板（正多角形板）１５が水流の方向に一定の間隔を隔てて設けられ、この２枚の正六角形板１５は、回転方向の位相を合致させた状態で、中心部を貫通固定した駆動軸１６が水路２の上部に設置された一対の軸受１７で回転自在に支持されている。なお、正六角形板１５は、必ずしも正六角形に限られるものではなく、正三角形〜正五角形、あるいは正七角形以上でも可能である。
【００４６】
水路１０の上部には減速機付き電動モータ（駆動手段）１８が設置され、この電動モータ１８の小径ローラチェーンホイル１９と駆動軸１６の大径ローラチェーンホイル２０とがローラチェーン２１で連結されている。したがって、電動モータ１８からローラチェーンホイル１９、ローラチェーン２１、ローラチェーンホイル２０、駆動軸１６を介して、２枚の正六角形板１５が同時に同方向に回転駆動されるようになる。
【００４７】
前記した駆動手段はチェーン式であったが、図７に示すように、水路１０の上部に設置した減速機付き電動モータ（駆動手段）１８の出力軸を正六角形板１５の駆動軸１６に直結すれば（モータ直結式）、ローラチェーンホイル１９、ローラチェーン２１、ローラチェーンホイル２０を省略することができる。
【００４８】
スクリーンプレート１１は、連結軸１２の軸間距離が正六角形板１５の一辺に略等しい前後長さ（回転方向の長さ）に設定され、正六角形板１５の辺数（本例では６辺）より多い枚数（本例では１８枚）が連結軸１２でキャタピラ状にエンドレスで連結されている。
【００４９】
そして、図１および図６（ｂ）のように、キャタピラ状にエンドレスで連結されたスクリーンプレート１１は、幅方向の両端部の内面が正六角形板１５の上側の各辺に接することで、正六角形板１５の回転駆動（図１の矢印ａ参照）に伴って、スクリーンプレート１１が長円状に直接回転駆動（図１の矢印ｂ参照）されるようになる。
【００５０】
このとき、スクリーンプレート１１よりも厚い連結辺部（幅移動規制部）１１ｂが各正六角形板１５の外側に嵌まり込むことで、各スクリーンプレート１１の上側の幅方向の移動が規制されるようになる。なお、連結辺部（幅移動規制部）１１ｂに代えて、各スクリーンプレート１１の内面に、各正六角形板１５の内側に嵌まり込む突起部（幅移動規制部）を形成することで、各スクリーンプレート１１の幅方向の移動を規制することもできる。また、各スクリーンプレート１１の内面に、各正六角形板１５の外周縁に嵌まり込む溝部（幅移動規制部）を形成することで、各スクリーンプレート１１の幅方向の移動を規制することもできる。
【００５１】
図１、図４のように、水路１０の下部の隔壁１０ａと中間支柱壁１０ｂとには、長円状の各スクリーンプレート１１の下部分のガイドローラ１３をガイドするＵ字形状のローラガイド２２がそれぞれ設けられ、この各ローラガイド２２の上端部は、上向きラッパ状に開口させている。このローラガイド２２で、各スクリーンプレート１１の下側の幅方向の移動が規制されるようになる。
【００５２】
図２のように、２枚の正六角形板１５の間の上方には、水路１０の水中ポンプ２５から送水管２６を介して水が供給されるスプレー管２７が配置されている。このスプレー管２７からスプレーされる高圧水で、スクリーンプレート１１の回転駆動により流水中から引き上げられた塵埃がスクリーンプレート１１から下方に脱落されるようになる。
【００５３】
この脱落する塵埃は、その下方のトラフ２８で捕集されて、水路１０の上部に配置された塵埃溜め箱２９に案内されるようになる。
【００５４】
第１実施形態の長円タイプの除塵装置であれば、キャタピラ状にエンドレスで連結したスクリーンプレート１１を、電動モータ１８で回転駆動される正六角形板１５で、長円状に直接回転駆動させるようにしたものである。したがって、特許文献１，２，３のような高価なチェーンとスプロケットとが不要になって、装置コストが安くなる。
【００５５】
また、キャタピラ状のスクリーンプレート１１は長円状であるから（長円タイプ）、水深が深くて流量の多い水路１０に適した構成となる（図１、図２の水位Ｌ１を参照）。
【００５６】
さらに、スクリーンプレート１１は、連結軸１２でキャタピラ状にエンドレスで連結するだけである。したがって、特許文献１，２のように、各スクリーンプレートを一対のエンドレスのローラチェーンの間に梯子状にボルト等で固定する作業、一対のエンドレスのローラチェーンの間に各フレームを梯子状にボルト等で固定する作業、特許文献３のように、円筒状のスクリーン本体にスクリーンネットを張設する作業と、ガイドローラを環状のガイドレールで支承する作業が不要になるから、設置作業コストが安くなる。
【００５７】
また、水深が深くて流量の多い水路１０に適した第１実施形態の長円タイプの構成と、水深が浅くて流量の少ない水路１０に適した第２実施形態の六角カップタイプの構成（後述）とのいずれのタイプであっても、正六角形板１５と枚数を変えるだけのキャタピラ状のスクリーンプレート１１とは共通で利用できるから、この点でも装置コストが安くなる。
【００５８】
さらに、各スクリーンプレート１１の各連結軸１２の外端にガイドローラ１３を取付け、水路１０には、長円状の各スクリーンプレート１１の下部分のガイドローラ１３をガイドするローラガイド２２を設けている。したがって、ローラガイド２２により、正六角形板１５から離れたスクリーンプレート１１の下部分をスムーズにガイドできる。
【００５９】
また、正六角形板１５は、一定の間隔を隔てて２枚を設け、スクリーンプレート１１は、幅方向の両端部の内面が各正六角形板１５の各辺に接するようにしている。したがって、２枚の正六角形板１５により、スクリーンプレート１１が片送りされないので、スクリーンプレート１１の直接回転駆動がスムーズになる。
【００６０】
さらに、各スクリーンプレート１１に、正六角形板１５に対して各スクリーンプレート１１の幅方向の移動を規制する連結辺部（幅移動規制部）１１ｂを形成している。したがって、スクリーンプレート１１が幅方向に移動して正六角形板１５から外れるのを未然に防止できる。
【００６１】
また、正多角形板として正六角形板１５を用いれば、六個の辺でスクリーンプレート１１を直接回転駆動させることができるから、スクリーンプレート１１の回転がスムーズになる。
【００６２】
（第２実施形態）
図８〜図１５は、本発明に係る第２実施形態の六角カップタイプの除塵装置であり、図８は正面図、図９は図８の側面図、図１０は図９の平面図、図１１は図９のＢ−Ｂ線断面図である。図１２（ａ）は正六角形板１５の斜視図、同（ｂ）は正六角形板１５と展開したスクリーンプレート１１の斜視図である。図１３はラック式駆動手段の側面図、図１４（ａ）は図１３のＣ−Ｃ断面図、同（ｂ）は図１４のＤ−Ｄ断面図である。図１５はピンホイル式駆動手段であり、（ａ）は側面図、（ｂ）は正面図である。
【００６３】
なお、第１実施形態の長円タイプの除塵装置と同一構成・作用の箇所は、詳細な説明は省略する。
【００６４】
図８、図９、図１１、図１２（ａ）のように、水路１０の内部には、１枚の正六角形板（正多角形板）１５が設けられ、この１枚の正六角形板１５は、中心部に固定した駆動軸１６が隔壁１０ａの下流側において水路１０の中央に立設される中間支持台１０ｃに設置された一対の軸受１７で回転自在に支持されている。
【００６５】
水路１０の上部には減速機付き電動モータ（駆動手段）１８が設置され、この電動モータ１８のローラチェーンホイル１９と駆動軸１６のローラチェーンホイル２０とがローラチェーン２１で連結されている。したがって、電動モータ１８からローラチェーンホイル１９、ローラチェーン２１、ローラチェーンホイル２０、駆動軸１６を介して、１枚の正六角形板１５が回転駆動されるようになる。
【００６６】
図８、図１２（ｂ）のように、キャタピラ状にエンドレスで連結された多数枚（本例では６枚）のスクリーンプレート１１が水流方向に開口するように配置され、このスクリーンプレート１１の下部は水路１０の底部付近に位置している。
【００６７】
そして、キャタピラ状にエンドレスで連結されたスクリーンプレート１１は、幅方向の一端部の内面が正六角形板１５の各辺に接することで、正六角形板１５の回転駆動（図８の矢印ａ参照）に伴って、片持ち状態でスクリーンプレート１１が円状に直接回転駆動されるようになる。
【００６８】
図８、図１１のように、水路１０の下部の隔壁１０ａと中間支持台１０ｃとには、六角状の各スクリーンプレート１１の下部分のガイドローラ１３をガイドするＵ字形状のローラガイド２２がそれぞれ設けられ、この各ローラガイド２２の上端部は、上向きラッパ状に開口させている。このローラガイド２２で、各スクリーンプレート１１の下側の幅方向の移動が規制されるようになる。
【００６９】
第２実施形態の六角カップタイプの除塵装置であれば、キャタピラ状にエンドレスで連結したスクリーンプレート１１を、電動モータ１８で回転駆動される正六角形板１５で、円状に直接回転駆動させるようにしたものである。したがって、特許文献１，２，３のような高価なチェーンとスプロケットとが不要になって、装置コストが安くなる。
【００７０】
また、キャタピラ状のスクリーンプレート１１は六角状であるから（六角カップタイプ）、水深が浅くて流量の少ない水路１０に適した構成となる（図８、図９の水位Ｌ２を参照）。
【００７１】
また、各スクリーンプレート１１の各連結軸１２の外端にガイドローラ１３を取付け、水路１０には、六角状の各スクリーンプレート１１の下部分のガイドローラ１３をガイドするローラガイド２２を設けている。したがって、ローラガイド２２により、正六角形板１５で片持ち支持されたスクリーンプレート１１の下部分をスムーズにガイドできる。その他の作用効果は第１実施形態と同じである。
【００７２】
前記した駆動手段はチェーン式であったが、図１３、図１４に示すラック式駆動手段のように、正六角形板１５の駆動軸１６を省略して、正六角形板１５の下流側の面に、円周上略等角度間隔で複数本（本例では６本）の支持軸３１を取付け、この各支持軸３１の端部に、ラックチェーンホイル３２を取付ける。
【００７３】
また、各支持軸３１にはガイドローラ３３を設けて、中間支持台１０ｃには、正六角形板１５とラックチェーンホイル３２との間の下部分のガイドローラ３３をガイドする半円状のローラガイド３４を設ける。この半円状のローラガイド３４により、正六角形板１５とラックチェーンホイル３２とが回転自在に支持されるようになる。
【００７４】
そして、水路１０の上部に設置した減速機付き電動モータ（駆動手段）１８のピニオンギヤ３５をラックチェーンホイル３２に噛み合わせれば、電動モータ１８からピニオンギヤ３５、ラックチェーンホイル３２、支持軸３１を介して、１枚の正六角形板１５、つまり、キャタピラ状にエンドレスで連結したスクリーンプレート１１が回転駆動されるようになる。なお、３６は、ラック押えピニオンギヤである。
【００７５】
さらに、図１５に示したピンホイル式駆動手段のように、スクリーンプレート１１の取付け構造は第２実施形態とは異なるが、駆動軸１６に、外周囲にＶ字状の切り込みラック３８ａを円周上略等角度間隔で形成したピンホイルラック３８を取付け、水路１０の上部に設置した減速機付き電動モータ（駆動手段）１８のピンホイル４０をピンホイルラック３８に噛み合わせれば、電動モータ１８からピンホイル４０を介してピンホイルラック３８、つまり、キャタピラ状にエンドレスで連結したスクリーンプレート１１が回転駆動されるようになる。
【００７６】
第１、第２実施形態においては、スクリーンプレート１１の回転駆動で流水中から引き上げられ、スクリーンプレート１１から脱落した塵埃は、トラフ（塵埃案内手段）２８で捕集されて、水路１０の上部に配置された塵埃溜め箱２９に案内されるだけであった。
【００７７】
これに対して、図１６、図１７に示すように、スクリーンプレート１１から脱落した塵埃を、脱水・圧縮機構が内蔵されているスクリューコンベヤ（塵埃案内手段）４２で捕集する構成とすることができる。
【００７８】
すなわち、螺旋状のスクリューコンベヤ４２は、ケーシング４３内に収納されて、電動モータ４９で回転駆動されるようになっている。ケーシング４３は、スクリューコンベヤ４２の先端側で、脱落した塵埃を捕集するためのホッパー部４３ａと、スクリューコンベヤ４２が嵌まり込む送り筒部４３ｂと、スクリューコンベヤ４２の基端で、下方に湾曲された湾曲筒部４３ｃとで構成されている。
【００７９】
スクリューコンベヤ４２は、ホッパー部４３ａと湾曲筒部４３ｃの間の中間付近までは、ホッパー部４３ａで捕集された塵埃を脱水（図１６の矢印ｄを参照）しながらスムーズに送り出すための広ピッチに形成され、その後、湾曲筒部４３ｃの付近までは、塵埃を１次的に圧縮するための狭ピッチに形成されている。また、基端付近は、塵埃を湾曲筒部４３ｃ側に送り戻すための逆向き螺旋状に形成されている。
【００８０】
湾曲筒部４３ｃの下端には、下向きに広がったフード部４３ｄが形成され、このフード部４３ｄの内部には、中心穴４４ａを有するコーン体４４が配置されている。
【００８１】
コーン体４４は、フード部４３ｄの内部で、平面視で略Ｙ字状の支持部材５０に上端が固定された軸部材４５に中心穴４４ａが嵌合されて上下移動自在に支持されている。軸部材４５の下部には雄ねじ４５ａが形成され、この雄ねじ４５ａにストローク調整用ナット４６がねじ込まれている。ストローク調整用ナット４６の上部にはワッシャ４７ａを介してばね受け座４７が配置され、このばね受け座４７とコーン体４４の間には、圧縮コイルばね４８が縮装されている。なお、コーン体４４には、圧縮コイルばね４８の外周囲をカバーするカバー部４４ｂが設けられている。
【００８２】
そして、コーン体４４は、圧縮コイルばね４８の付勢力で、常時はフード部４３ｄの内面に当接することで開口を閉じている（図１７の左半分を参照）。また、送り筒部４３ｂから湾曲筒部４３ｃに送り込まれた塵埃を２次的に圧縮し、塵埃の送り出し力が圧縮コイルばね４８の付勢力に勝った時には、圧縮コイルばね４８の付勢力に抗してコーン体４４がフード部４３ｄの内面から離れることで開口を開くようになる（図１７の右半分を参照）。これにより、矢印ｃのように、塵埃が２次的に圧縮されながら外部に搬出されるようになる。
【００８３】
このように、塵埃を捕集して単に外部に搬出するトラフ２８に代えて、脱水・圧縮機構付きスクリューコンベヤ４２を設けることで、塵埃を捕集し、脱水しつつ圧縮できることで、トラフ２８と脱水装置と圧縮装置を別々に設置する場合と比べて、各装置の設置スペースが不要になるとともに、設備コストも安くなる。
【００８４】
図１８は、特に第２実施形態の六角カップタイプ（小流量タイプ）の除塵装置に最適な他の実施形態である。
【００８５】
図１５に示した実施形態も参照すれば、水路に相当する水槽５２を床面５１に設置して、この水槽５２の内部に正六角形板１５とスクリーンプレート１１との組み立て体１００を組み込む。
【００８６】
水槽５２は、底壁面５２ａと、底壁面５２ａの四方から立ち上がった側壁面５２ｂ〜５２ｅとで上部が開口した四角箱状に形成され、上部の開口面には、開閉可能な蓋５２ｆが取付けられている。水槽５２は、例えば、ＰＣコンクリート製、鋼製、ＦＲＰ製である。
【００８７】
また、水槽５２の側壁面５２ｄ，５２ｄに、水流の入口管５３とスクリューコンベヤ４２とを取付け、他側の側壁面５２ｃに、水流の出口管５３と、スプレー管２７とを取付ける。さらに、水槽５２の上壁面には、開閉可能な蓋５２ｆを取付ける。なお、入口管５２、出口管５３、スプレー管２７は、側壁面５２ｂ〜５２ｅのいずれにも取付けることが可能であり、底壁面５２ａや上壁面（蓋５２ｆ）に取付けることも可能である。
【００８８】
このような構成であれば、製造工場で水槽５２内に組み立て体１００を組み込み、壁面５２ｂ〜５２ｄに入口管５３等を取付けたてユニット化したものを、トラック等で水処理工場に搬送して、この水処理工場の床面５１に設置する。そして、図１９のように、水処理工場内のポンプ圧送のメイン給水配管９０に入口管５３を接続し、メイン排水配管９１に出口管５４を接続し、メイン送水管９２にスプレー管２７を接続する。なお、スクリューコンベヤ４２から搬出された塵埃は、床面５１に設置した塵埃溜め箱等で回収することができる。なお、スクリューコンベヤ４２に代えて、トラフ２８を取付けることもできる。
【００８９】
これにより、水処理工場内の床面５１に除塵装置を設置することができる。したがって、土木工事で地面に水路を掘って除塵装置を設置する場合と比べて、除塵装置の設置工事を簡単かつ迅速に行うことができる。
【００９０】
また、除塵装置が小流量タイプ（例えば処理水量が２５００〜５０００ｍ３／日）である場合には、図１９のように、複数台の水槽（ユニット）５２を並べて設置し、各水槽（ユニット）５２の入口管５３等を水処理工場内の各メイン配管９０〜９２にそれぞれ接続すれば、簡単に大流量タイプとすることもできる。
【００９１】
さらに、水槽５２の蓋５２ｆを取り外せば、スクリーンプレート１１の交換作業等のメンテナンスも簡単かつ迅速に行える。また、電動モータ４９，１８は、水槽５２の外部にあるから、防水対策が不要であり、メンテナンスも簡単かつ迅速に行える。なお、スクリューコンベヤ４２またはトラフ２８から搬出された塵埃は、ベルトコンベヤ等を利用することで一括回収することも可能である。
【符号の説明】
【００９２】
１０    水路
１１    スクリーンプレート
１１ｂ  連結片部（幅移動規制部）
１１ｃ  前片部（一片部）
１１ｄ  後辺部（他片部）
１１ｅ  連結孔
１２    連結軸
１３    ガイドローラ
１４    抜け止めねじ（抜け止め部材）
１５    正六角形板（正多角形板）
１６    駆動軸
１８    電動モータ（駆動手段）
２２    ローラガイド
２７    スプレー管
２８    トラフ
３４    ローラガイド
４２    スクリューコンベヤ
４３    ケーシング
５２    水槽（水路）
５２ｆ  蓋（上壁面）
５３    入口管
５４    出口管
１００  組み立て体
ｔ１    スクリーンプレートの厚み
ｔ２    連結辺部の厚み
【図１】
0005513967.tif 000002
【図２】
0005513967.tif 000003
【図３】
0005513967.tif 000004
【図４】
0005513967.tif 000005
【図５】
0005513967.tif 000006
【図６】
0005513967.tif 000007
【図７】
0005513967.tif 000008
【図８】
0005513967.tif 000009
【図９】
0005513967.tif 000010
【図１０】
0005513967.tif 000011
【図１１】
0005513967.tif 000012
【図１２】
0005513967.tif 000013
【図１３】
0005513967.tif 000014
【図１４】
0005513967.tif 000015
【図１５】
0005513967.tif 000016
【図１６】
0005513967.tif 000017
【図１７】
0005513967.tif 000018
【図１８】
0005513967.tif 000019
【図１９】
0005513967.tif 000020
【図２０】
0005513967.tif 000021
【図２１】
0005513967.tif 000022